(57)【要約】【課題】本発明は、照明器具に関し、設置作業を容易にできる照明器具を得ることを目的とする。【解決手段】本発明に係る照明器具は、一端に第１開口が形成され、他端に第２開口が形成された筒状の筐体と、該筐体に収納される光源と、該筐体に収納され、該光源を点灯させる点灯装置と、該光源が出射する光を制御し、該第１開口から出射する光学制御部と、該第２開口を塞ぐカバーと、を備え、該第２開口の幅は、該点灯装置の幅より大きい。【選択図】図１
2019212547.tif 000002
【特許請求の範囲】
【請求項１】
一端に第１開口が形成され、他端に第２開口が形成された筒状の筐体と、
前記筐体に収納される光源と、
前記筐体に収納され、前記光源を点灯させる点灯装置と、
前記光源が出射する光を制御し、前記第１開口から出射する光学制御部と、
前記第２開口を塞ぐカバーと、
を備え、
前記第２開口の幅は、前記点灯装置の幅より大きいことを特徴とする照明器具。
【請求項２】
前記第１開口の幅は、前記点灯装置の幅より小さいことを特徴とする請求項１に記載の照明器具。
【請求項３】
前記筐体の前記一端には、前記第１開口を形成する意匠面が設けられることを特徴とする請求項１または２に記載の照明器具。
【請求項４】
前記光学制御部は、前記第１開口を塞ぐことを特徴とする請求項１から３の何れか１項に記載の照明器具。
【請求項５】
前記光学制御部は、前記第１開口から突出することを特徴とする請求項１から４の何れか１項に記載の照明器具。
【請求項６】
前記カバーに取り付けられ、外部電源からの電力を前記点灯装置に供給する端子台を備えることを特徴とする請求項１から５の何れか１項に記載の照明器具。
【請求項７】
前記カバーは、前記第１開口から前記第２開口に向かう方向に沿って延びる側面部を備え、
前記端子台は前記側面部に取り付けられることを特徴とする請求項６に記載の照明器具。
【請求項８】
前記端子台は、前記側面部に沿った方向を向く電線挿入部を有することを特徴とする請求項７に記載の照明器具。
【請求項９】
前記筐体の側壁部から水平方向に延びる保持バネを備え、
前記端子台は、前記保持バネが延びる方向と交差する方向を向く電線挿入部を有することを特徴とする請求項６から８の何れか１項に記載の照明器具。
【請求項１０】
前記端子台は、熱硬化性樹脂から形成されることを特徴とする請求項６から９の何れか１項に記載の照明器具。
【請求項１１】
前記光源と、前記点灯装置と、前記光学制御部とを保持する保持部材を備えることを特徴とする請求項１から１０の何れか１項に記載の照明器具。
【発明の詳細な説明】
【技術分野】
【０００１】
本発明は、照明器具に関する。
【背景技術】
【０００２】
特許文献１には、器具本体と、ユニット部とを備えた照明器具が開示されている。器具本体は、一端側が開口した筒状である。器具本体は、開口と反対側の他端側である上側に位置する有蓋円筒状の本体部と、本体部の下端部に対して着脱可能な円形状の化粧枠とを備えている。ユニット部は、器具本体の一端側から光を出射する光源モジュールを備える。
【先行技術文献】
【特許文献】
【０００３】
【特許文献１】特開２０１６−０９１７４０号公報
【発明の概要】
【発明が解決しようとする課題】
【０００４】
特許文献１の照明器具では、本体部を天井に設置した後に、化粧枠を本体部に取り付ける。このため、天井への器具設置作業の工数が多くなる恐れがある。また、ユニット部を下方から器具本体に取り付けるため、器具設置作業中にユニット部の落下等が発生する可能性がある。
【０００５】
本発明は、上述の課題を解決するためになされたもので、設置作業を容易にできる照明器具を得ることを目的とする。
【課題を解決するための手段】
【０００６】
本発明に係る照明器具は、一端に第１開口が形成され、他端に第２開口が形成された筒状の筐体と、該筐体に収納される光源と、該筐体に収納され、該光源を点灯させる点灯装置と、該光源が出射する光を制御し、該第１開口から出射する光学制御部と、該第２開口を塞ぐカバーと、を備え、該第２開口の幅は、該点灯装置の幅より大きい。
【発明の効果】
【０００７】
本発明に係る照明器具では、筐体の光の出射方向と反対側の端部に第２開口が設けられる。このため、筐体の上方から光源、点灯装置および光学制御部を収納できる。従って、設置作業を容易にできる。
【図面の簡単な説明】
【０００８】
【図１】実施の形態１に係る照明器具の斜視図である。
【図２】実施の形態１に係る照明器具の五面図である。
【図３】実施の形態１に係る筐体の下方斜視図である。
【図４】実施の形態１に係る筐体の上方斜視図である。
【図５】実施の形態１に係る照明器具の分解斜視図である。
【図６】実施の形態１に係る光源ユニットを分解した状態を示す下方斜視図である。
【図７】実施の形態１に係る光源ユニットを分解した状態を示す上方斜視図である。
【図８】実施の形態１に係る端子台に電線が接続された状態を示す図である。
【発明を実施するための形態】
【０００９】
本発明の実施の形態に係る照明器具について図面を参照して説明する。同じ又は対応する構成要素には同じ符号を付し、説明の繰り返しを省略する場合がある。
【００１０】
実施の形態１．
図１は、実施の形態１に係る照明器具１の斜視図である。図２は、実施の形態１に係る照明器具１の五面図である。照明器具１は、例えば非常用照明器具である。照明器具１は、筐体２、カバー３、端子台４、点灯装置、光源、光学制御部７および保持バネ８を備える。
【００１１】
カバー３は、筐体２に取り付けられる。端子台４はカバー３に隣接されて設けられる。点灯装置は、筐体２の内部に収納される。光源は、筐体２の内部に収納される。光学制御部７は光源の光を制御する。保持バネ８は、筐体２に取り付けられる。
【００１２】
図３は、実施の形態１に係る筐体２の下方斜視図である。図４は、実施の形態１に係る筐体２の上方斜視図である。筐体２は筒状である。筐体２の一端には、第１開口２４が形成され、他端には第２開口２３が形成される。第２開口２３は、点灯装置、光源および光学制御部７を筐体２に上方から収納できるように設けられている。第２開口２３の幅は、点灯装置、光源および光学制御部７の幅より大きい。また、第１開口２４の幅は、点灯装置の幅より小さい。
【００１３】
筐体２は例えばアルミダイキャストで形成される。筐体２は筒状の側壁部２１を有する。また、筐体２の一端には、鍔部２２が設けられる。鍔部２２は、側壁部２１の下端から外側および内側に向かって水平方向に延びる。鍔部２２は第１開口２４を形成する。鍔部２２は、照明器具１が天井に取り付けられた際に、意匠面となる。ここで、意匠面は照明器具１を天井に設置した際に、使用者から見える面である。
【００１４】
側壁部２１には切り欠きが形成される。切り欠きにより、側壁部２１には第１側壁部２１ａと、鍔部２２からの高さが第１側壁部２１ａより低い第２側壁部２１ｂとが形成される。
【００１５】
図５は、実施の形態１に係る照明器具１の分解斜視図である。カバー３は板状の部材により形成されている。カバー３は、側面部３ａ、上面部３ｂおよび底面部３ｃを有する。上面部３ｂは、筐体２のうち第１側壁部２１ａの上端に設けられる。上面部３ｂは、第２開口２３のうち第１側壁部２１ａに囲まれる部分を覆う。底面部３ｃは、筐体２のうち第２側壁部２１ｂの上端に設けられる。底面部３ｃは、第２開口２３のうち第２側壁部２１ｂに囲まれる部分を覆う。
【００１６】
側面部３ａは、側壁部２１のうち、第１側壁部２１ａと第２側壁部２１ｂとの段差部分を覆う。側面部３ａは第１開口２４から第２開口２３に向かう方向に沿って延びる。このように、カバー３は筐体２の上端部に沿った形状をしており、第２開口２３を塞ぐ。
【００１７】
図１、２に示されるように、端子台４は筐体２およびカバー３に隣接して設けられる。カバー３には端子台４の取り付け部が設けられている。端子台４はカバー３のうち側面部３ａに取り付けられる。なお、カバー３の側面部３ａの内側には、点灯装置５が設けられる。端子台４は側面部３ａを介して点灯装置５と隣接する。
【００１８】
端子台４は、外部電源からの電力を点灯装置５に供給する。ここで、外部電源は交流電源または直流電源である。端子台４は電線挿入部４１を有する。電線挿入部４１には電線が挿入される。端子台４は電線により外部電源と接続される。また、端子台４は点灯装置５と電気的に接続される。電線挿入部４１は水平方向を向く。また、電線挿入部４１は側面部３ａに沿った方向を向く。
【００１９】
端子台４は例えば不飽和ポリエステルなどの熱硬化性樹脂から形成される。これに限らず、端子台４は耐熱性能があれば、熱可塑性樹脂から形成されてもよい。
【００２０】
図６は、実施の形態１に係る光源ユニット９０を分解した状態を示す下方斜視図である。図７は、実施の形態１に係る光源ユニット９０を分解した状態を示す上方斜視図である。点灯装置５、光源６、光学制御部７および保持部材９は光源ユニット９０を構成する。保持部材９は、点灯装置５と、光源６と、光学制御部７とを保持する。保持部材９は、例えばソケットである。点灯装置５、光源６および光学制御部７は保持部材９にそれぞれ固定され、一体化された部品となる。
【００２１】
点灯装置５は端子台４から供給される電力により、光源６を点灯させる。点灯装置５はいわゆる直流電源装置である。点灯装置５は、外部電源から電力供給を受け、光源６に対し制御された電力を供給する。光源６に供給される電力の制御方法として、定電流制御、定電力制御、定電圧制御等が用いられる。点灯装置５は樹脂性のケースと、ケースに収納される回路基板を備える。
【００２２】
光源６は例えばＬＥＤを備える。ＳＭＤ（Ｓｕｒｆａｃｅ  Ｍｏｕｎｔ  Ｄｅｖｉｃｅ）タイプのＬＥＤを用いる場合、光源６はＬＥＤおよびＬＥＤを実装する基板から構成される。これに対し、ＣＯＢ（Ｃｈｉｐ  Ｏｎ  Ｂｏａｒｄ）タイプのＬＥＤを用いる場合、光源６において基板は不要となる。この場合、光源６は、基板の代わりにＬＥＤを保持し点灯装置５と接続する為のソケットを備えても良い。
【００２３】
光源６は、点灯装置５と保持部材９との間に設けられる。光源６は下方に向かって光を出射する。光源６が発する光は、保持部材９に設けられた開口を通り、光学制御部７に入射する。
【００２４】
光学制御部７は、光源６の光の出射方向に設けられる。光学制御部７は、保持部材９に対して、光源６および点灯装置５と反対側に設けられる。図１、２に示されるように、光学制御部７は、第１開口２４を塞ぐ。また、光学制御部７は、第１開口２４から外部に臨む様に配設され、第１開口２４から突出する。
【００２５】
光学制御部７は、光源６が出射する光を制御し、第１開口２４から出射する。本実施の形態では、光学制御部７はレンズである。光学制御部７は、光源６の光を目標とする配光特性を満足する様に配光制御する。光学制御部７は例えばガラスで形成される。光学制御部７は、耐熱性能が満足されれば樹脂で形成されてもよい。また、光学制御部７はレンズ以外でも良く、反射板であっても良い。
【００２６】
筐体２の側壁部２１には保持バネ８を固定する為の取り付け部２１ｃが設けられる。取り付け部２１ｃは対向する２つの平面から構成される。取り付け部２１ｃには、２つの保持バネ８が対向して取り付けられる。保持バネ８は、筐体２の側壁部２１の両側から水平方向に延びる。なお、保持バネ８は筐体２の取り付け部２１ｃに向かって変形する。つまり、保持バネ８は、筐体２に向かって閉じる。
【００２７】
次に、照明器具１の組み立て方法について説明する。まず、光源ユニット９０を組み立てる。このとき、保持部材９に点灯装置５、光源６および光学制御部７を固定し、光源ユニット９０を一体化する。
【００２８】
次に、一体化された光源ユニット９０を、筐体２の第２開口２３から第１開口２４に向かって挿入する。ここで、第２開口２３の幅は、光源ユニット９０の幅より大きい。このため、第２開口２３から筐体２に光源ユニット９０を収納できる。本実施の形態では、光源ユニット９０を筐体２に上方から収納できる。このため、点灯装置などを筐体の下方から取り付ける場合よりも、組立作業を容易にできる。また、本実施の形態では、予め一体化された光源ユニット９０を筐体２に収納する。このため、組立作業をさらに容易にできる。
【００２９】
また、第１開口２４の幅は光源ユニット９０の幅より小さい。このため、筐体２の下端側で光源ユニット９０を保持できる。従って、光源ユニット９０の落下を防止できる。光源ユニット９０が筐体２に挿入された状態において、筐体２の第１開口２４は光学制御部７で閉塞される。その後、筐体２の上端にカバー３を取り付ける。これにより、第２開口２３が閉塞される。また、カバー３に端子台４を取り付ける。
【００３０】
保持バネ８は、光源ユニット９０を筐体２に収納する前に、予め筐体２に取り付けておいても良い。また、筐体２に光源ユニット９０を収納した後に、保持バネ８を筐体２に取り付けても良い。
【００３１】
次に、照明器具１の被取付部への設置方法について説明する。被取付部は例えば天井である。まず、端子台４の電線挿入部４１に被取付部から引き出された電線を接続する。次に、保持バネ８を筐体２側へすぼめて、照明器具１を被取付部に挿入する。照明器具１が被取付部に差し込まれると、保持バネ８は開いた状態となる。これにより、照明器具１は、被取付部に取り付けられる。
【００３２】
このように、被取付部への照明器具１の設置作業は、予め組み立てられた照明器具１を被取付部に取り付けることで完了する。従って、施工を容易にできる。また、本実施の形態では、光源ユニット９０を筐体２の上方から挿入するため、筐体２の下端に予め意匠面を設けることができる。このため、筐体２を天井に設置した後に、化粧枠等を筐体２に取り付ける必要がない。従って、施工をさらに容易にできる。
【００３３】
図８は、実施の形態１に係る端子台４に電線４２が接続された状態を示す図である。電線挿入部４１は筐体２の取り付け部２１ｃに沿った方向を向く。このため、電線４２は、保持バネ８が設けられる方向には引き出されない。これにより、端子台４に電線４２が挿入された状態においても、保持バネ８が電線４２に触れることを防止できる。従って、施工の際に電線４２と保持バネ８が接触することを防止できる。
【００３４】
また、図２の平面図に示されるように、端子台４は筐体２の直上に設けられる。端子台４は筐体２の中心軸に沿った方向から見て、筐体２の内側に収まる。このため、照明器具１を小型化できる。
【００３５】
また、図８に示されるように、電線４２は、電線挿入部４１からカバー３の側面部３ａに沿った方向に引き出される。このとき、端子台４の電線４２が引き出される側と反対側には、点灯装置５が設けられない。このため、電線挿入部４１からカバー３の側面部３ａと垂直な方向に電線４２が引き出される場合よりも、筐体２の直上において電線４２が通る空間を広く確保できる。よって、電線４２が照明器具１の横に突き出し難い。従って、照明器具１を被取付部に取り付け易くなり、容易に施工できる。
【００３６】
また、非常用照明器具は建築基準法および関連法令等で性能が規定されている。本実施の形態の照明器具１は、点灯装置５を内蔵し、バッテリー等の予備電源を内蔵しない。このような照明器具において電線の送り、つまり渡り配線が可能な場合、一般に端子台に対し、予め定められた難燃性能が求められる。本実施の形態では、端子台４に熱硬化性樹脂を用いることで、非常用照明器具として規定された難燃性能を満足することができる。
【００３７】
また、非常用照明器具の天井面より露出する箇所は、一般に難燃材料で形成されることが必要である。本実施の形態における筐体２は、アルミダイキャスト等の金属材料で構成される。このため、非常用照明器具としての要求事項を満足することができる。
【００３８】
本実施の形態の変形例として、筐体２の側壁部２１には切り欠きが設けられなくても良い。また、筐体２の形状は、図３、４に示されるものに限らない。例えば、筐体２の側壁部２１の断面は、円形、四角形または多角形であっても良い。また、端子台４の電線挿入部４１は、保持バネ８が延びる方向と交差する方向を向いても良い。これにより、電線４２と保持バネ８の干渉を防止できる。
【００３９】
なお、本実施の形態で説明した技術的特徴は適宜に組み合わせて用いてもよい。
【符号の説明】
【００４０】
１  照明器具、２  筐体、２１  側壁部、２１ａ  第１側壁部、２１ｂ  第２側壁部、２１ｃ  取り付け部、２２  鍔部、２３  第２開口、２４  第１開口、３  カバー、３ａ  側面部、３ｂ  上面部、３ｃ  底面部、４  端子台、４１  電線挿入部、４２  電線、５  点灯装置、６  光源、７  光学制御部、８  保持バネ、９  保持部材
【図１】
2019212547.tif 000003
【図２】
2019212547.tif 000004
【図３】
2019212547.tif 000005
【図４】
2019212547.tif 000006
【図５】
2019212547.tif 000007
【図６】
2019212547.tif 000008
【図７】
2019212547.tif 000009
【図８】
2019212547.tif 000010